(57)【要約】【課題】  体裁が良く、エナメル質等を傷める虞も無く、歯の隙間に入り込んで歯垢や沈着した色素を取除くことができ、使用者に研磨手段の硬さを選択できる歯面研磨袋及び歯面研磨具を提供する。【解決手段】  ブラシ収納部（１０）と締縛部（１１）とからなり、ブラシ収納部（１０）は、極細繊維を編織した生地からなり、且つ歯ブラシの植毛部を収納可能な筒状体の開口部の一方を閉塞した形状とし、締縛部（１１）は、その一端が前記ブラシ収納部（１０）の開口縁から連続した筒状で、他端側を開口部として形成したことを特徴とする歯面研磨袋等を、解決手段とする。【選択図】  図３
0003102879.tif 000002
【実用新案登録請求の範囲】
【請求項１】
ブラシ収納部（１０）と締縛部（１１）とからなり、
ブラシ収納部（１０）は、極細繊維を編織した生地からなり、且つ歯ブラシの植毛部を収納可能な筒状体の開口部の一方を閉塞した形状とし、
締縛部（１１）は、その一端が前記ブラシ収納部（１０）の開口縁から連続した筒状で、他端側を開口部として形成したことを特徴とする歯面研磨袋。
【請求項２】
歯面研磨袋（１）と、該歯面研磨袋を歯ブラシの柄に固定するための固定部材（２）とからなり、
前記歯面研磨袋（１）は、極細繊維を編織した生地からなり、且つ歯ブラシの植毛部を収納可能な筒状体の開口部の一方を閉塞した形状のブラシ収納部（１０）と、該ブラシ収納部（１０）の開口縁から一端が連続する筒状で他端が開口部として形成される締縛部（１１）とからなり、
前記固定部材（２）は、歯面研磨袋（１）における締縛部（１１）に被せて歯ブラシの柄と前記締縛部とを固定する固定部（２０）を備え、
装着対象物となる歯ブラシの植毛部と研磨対象となる歯との間に歯面研磨袋の生地が介在することによって、歯ブラシの植毛部で当該歯面研磨袋の生地を歯に押し付けて研磨する構成としたことを特徴とする歯面研磨具。
【請求項３】
棒状の柄（３０）の一端側に植毛部（３１）を形成するとともに他端側に把持部（３２）を形成した歯ブラシ（３）と、該歯ブラシ（３）の植毛部（３１）を被覆する歯面研磨袋（１）と、該歯面研磨袋（１）を前記歯ブラシ（３）の柄（３０）に着脱自在に設けられる固定部材（２）とからなり、
前記歯面研磨袋（１）は、極細繊維を編織した生地からなり、且つ歯ブラシの植毛部を収納可能な筒状体の開口部の一方を閉塞した形状のブラシ収納部（１０）と、該ブラシ収納部（１０）の開口縁から一端が連続する筒状で他端が開口部として形成される締縛部（１１）とからなり、
前記固定部材（２）は、歯面研磨袋（１）における締縛部（１１）に被せて歯ブラシ（３）の柄（３０）と前記締縛部（１１）とを固定する固定手段を備え、
歯ブラシ（３）は、植毛部（３１）と研磨対象となる歯との間に前記歯面研磨袋（１）の生地が介在することによって、植毛部（３１）で当該歯面研磨袋（１）の生地を歯に押し付けて研磨する構成としたことを特徴とする歯面研磨具。
【考案の詳細な説明】
【技術分野】
【０００１】
本考案は、歯面に沈着した色素及び歯垢の除去、歯面の研磨を行なうための歯面研磨具に関するものである。
【背景技術】
【０００２】
従来、歯面に沈着した色素や、歯垢の除去を目的として、種々の歯面研磨具が考案されており、例えば、一般的な指サック形状を有するものとして、粗面を呈し摩耗性を有する布材を用いた指サック形態の歯面研磨袋（例えば、特許文献１参照。）や、
射出成形等により一体成形された口腔用清掃具本体の先端部に舌苔若しくは歯垢を除去するための不織布を取付けた口腔用清掃具（例えば、特許文献２参照。）、
また、所定大の希薄な不織布からなり、ゴム或いはスポンジ製の弾性片を取付けた弾性頭部を挿入可能な鞘状の袋状部を形成した歯の衛生払拭具（例えば、特許文献３参照。）や、
更には、歯面の着色を除去するための歯面清掃用具であって、口腔内に入る形状に加工したメラミン系樹脂発泡体を備える歯面清掃用具（例えば、特許文献４参照。）や、粗面を呈し摩耗性を有する布材を棒に巻付けてなる歯面研磨具（例えば、前記特許文献１参照。）が公知である。
【０００３】
【特許文献１】特開２００３−６１７４８号公報
【特許文献２】特開２００２−３３６２７８号公報
【特許文献３】実開平５−２９５１６号公報
【特許文献４】特開２００３−２５０８１８号公報
【考案の開示】
【考案が解決しようとする課題】
【０００４】
前記特許文献１に係る、粗面を呈し摩耗性を有する布材を用いた指サック形態の歯面研磨袋は、指に差込んで使用する歯面研磨具である。当該指を差込んで使用する歯面研磨具は、当該歯面研磨具を装着した指を口内へ突っ込んで研磨することから、非常に体裁が悪く、例えば、気兼ねなく勤務先で昼休み中に使用することはできないものであった。また、指による研磨は、磨き難い箇所などに対して力が入りやすく、歯のエナメル質等を傷める虞があった。
【０００５】
次に、特許文献２乃至特許文献４に開示される歯面研磨具、及び特許文献１に開示される粗面を呈し摩耗性を有する布材を棒に巻付けてなる歯面研磨具等は、基本的に棒の先端に設けたゴムやスポンジ、樹脂といった弾性部材をそのまま歯面の研磨に使用するか、或いは布で当該弾性部材や棒を被覆した上で、歯面の研磨を行なうものである。
【０００６】
これらの歯面研磨具を使用すると、弾性部材の弾力性によってある程度は歯面の起伏に対して沿うものの、歯の隙間に入り込んで十分に歯垢や沈着した色素を掻き落とし研磨するほどの効力を得ることが出来ないのが現状であった。
【０００７】
更に、弾性部材は、所定の形状、硬さが一律であることから、使用者によっては弾性部材等が硬すぎて、歯茎からの出血を起こすこともあり、問題であった。
【０００８】
本考案は、以上の事情に鑑みてなされたものであり、体裁が良く、エナメル質等を傷める虞も無く、歯の隙間に入り込んで歯垢や沈着した色素を取除くことができ、使用者に研磨手段の硬さを選択可能とすることのできる、優れた歯面研磨袋及び歯面研磨具を提供することを課題とするものである。
【課題を解決するための手段】
【０００９】
本考案は、ブラシ収納部と締縛部とからなり、ブラシ収納部は、極細繊維を編織した生地からなり、且つ歯ブラシの植毛部を収納可能な筒状体の開口部の一方を閉塞した形状とし、締縛部は、その一端が前記ブラシ収納部の開口縁から連続した筒状で、他端側を開口部として形成したことを特徴とする歯面研磨袋、及び、歯面研磨袋と、該歯面研磨袋を歯ブラシの柄に固定するための固定部材とからなり、前記歯面研磨袋は、極細繊維を編織した生地からなり、且つ歯ブラシの植毛部を収納可能な筒状体の開口部の一方を閉塞した形状のブラシ収納部と、該ブラシ収納部の開口縁から一端が連続する筒状で他端が開口部として形成される締縛部とからなり、前記固定部材は、歯面研磨袋における締縛部に被せて歯ブラシの柄と前記締縛部とを固定する固定部を備え、装着対象物となる歯ブラシの植毛部と研磨対象となる歯との間に歯面研磨袋の生地が介在することによって、歯ブラシの植毛部で当該歯面研磨袋の生地を歯に押し付けて研磨する構成としたことを特徴とする歯面研磨具を、課題を解決するための手段とする。
【考案の効果】
【００１０】
本考案によれば、歯面研磨袋と、該歯面研磨袋を歯ブラシの柄に固定するための固定部材とからなり、前記歯面研磨袋は、極細繊維を編織した生地からなり、且つ歯ブラシの植毛部を収納可能としたサック状のブラシ収納部と、該収納部の開口縁から連続する筒状の締縛部とからなり、前記固定部材は、歯面研磨袋における締縛部に被せて歯ブラシの柄と前記締縛部とを固定する構成としたことによって、装着対象物である歯ブラシの植毛部の硬さ、軟らかさを適宜選択した上で、当該選択した歯ブラシに装着することができることから、使用者の歯や歯茎の質、好みに応じて、最も好適となる歯面研磨手段を提供することができる。
【００１１】
また、本考案によれば、歯面研磨袋が、極細繊維を編織した生地からなり、且つ歯ブラシの植毛部を収納可能としたサック状のブラシ収納部と、該収納部の開口縁から連続する筒状の締縛部とからなるものとしたことから、歯ブラシに装着して歯面を研磨する際に、装着対象物となる歯ブラシの植毛部と研磨対象となる歯との間に歯面研磨袋の生地が介在することによって、歯ブラシの植毛部で当該歯面研磨袋の生地を歯に押し付けて研磨することとなり、植毛部が歯間の隙間や歯ブラシだけでは磨き難い細かな部分へ、歯面研磨袋の極細繊維を編織した生地を押し込むように摺動し、効率よく、歯面に沈着した色素及び歯垢の除去、歯面の研磨を行なうことができる。
【００１２】
更に、歯面研磨袋は、極細繊維を編織した生地からなり、且つ前記歯ブラシの植毛部を収納可能としたサック状のブラシ収納部と、該収納部の開口縁から連続する筒状の締縛部とからなり、前記固定部材は、歯面研磨袋における締縛部に被せて歯ブラシの柄と前記締縛部とを固定する固定手段を備えた構成によって、使用時に歯ブラシに装着された歯面研磨袋が歯ブラシから不用意にずれたり、脱落することを防止することができる。
【考案を実施するための最良の形態】
【００１３】
歯面研磨袋を備え、歯ブラシに装着した状態で、植毛部と研磨対象となる歯との間に前記歯面研磨袋の生地が介在することによって、植毛部で当該歯面研磨袋の生地を歯に押し付けて研磨する構成である。
【実施例】
【００１４】
（実施例に係る歯面研磨袋及び歯面研磨具の構成）
図１は本考案の実施例に係る歯面研磨具の歯面研磨袋を示す左側面図、正面図及び右側面図、図２は同実施例に係る歯面研磨具の固定部材を示す正面図及び右側面図、図３は同実施例に係る歯面研磨具を歯ブラシに装着した状態を示す斜視説明図、図４は図３のＡ−Ａ拡大断面図、図５は歯、歯面研磨袋、植毛部との関係を示す拡大説明断面図である。
【００１５】
本考案の実施例に係る歯面研磨袋及び歯面研磨具は、図１に示す歯面研磨袋と、図２に示す固定部材とからなるものである。前記歯面研磨袋は、極細繊維を筒状に横袋編みし、植毛部の長さに対応する長さにカットした後その一方の開口部のみを高周波溶着により閉塞端部１２を形成しサック状としたブラシ収容部１０と、該ブラシ収容部１０の閉塞端部１２とは反対側となる開口側に、連続一体に横袋編みで設けた円筒状の締縛部１１とからなるものである。
【００１６】
ブラシ収納部１０と締縛部１１はいずれも全方位方向に対する伸縮性を備えている。
尚、前記ブラシ収納部に用いた極細繊維は、繊維径１マイクロメートル乃至１０マイクロメートル、ポリエステル６５％、ナイロン３５％の複合長繊維（株式会社クラレ製「ＷＲＡＭＰ」）を使用している。
【００１７】
また、締縛部１１は、ブラシ収容部１０の開口側位置から徐々に幅狭で、強伸縮性を持たせており、高さは、およそ一般的な歯ブラシの植毛部（植毛される基材を含む）の高さ寸法よりも小さい寸法に形成している。これによって、固定部材２がない状態でも当該歯面研磨袋がブラシ収納部１０からずれないように形成してある。
【００１８】
また、図２に示す固定部材２は、平面視Ｃ形状を有し、合成ゴムで形成されている。Ｃ形状における両端部が歯面研磨袋の締縛部１１を握持する固定部２０として作用するものである。
【００１９】
そして、本実施例によれば、歯面研磨袋１の開口部１３へ植毛部３１を挿入することで、図３に示すように、ブラシ収納部１０が植毛部３１を被覆し、締縛部１１が前記植毛部３１に隣接する位置の柄を被覆した構成となり、締縛部１１は固定部材２により握持された構成となる。図４に示すように、植毛部における毛先は、ブラシ収納部の内面側に当接している。
【００２０】
使用時においては、図５に示すように、植毛部３１の毛先３２が歯４の隅々まで入り込むように動くことから、ブラシ収納部１０の内面側１００から当該歯ブラシ３の毛先３２が前記ブラシ収納部１０の生地を歯４の隙間などの歯垢や色素が多い部分へ入り込ませて、極細繊維で編製された生地による歯面の研磨を行うことができるのである。
【００２１】
尚、本実施例に係る歯面研磨具は、歯面研磨袋１と、該歯面研磨袋１を歯ブラシ３の柄３０に固定するための固定部材２とからなる構成とし、一般に使用する歯ブラシに被せて使用することができるが、当該実施例に係る歯面研磨袋１、固定部材２に加えて、歯ブラシ３を歯面研磨具の構成要素として含むこともできる。
【００２２】
更に、本実施例において、歯ブラシ３は、柄３０よりも把持部３２の方が幅広となる構成であるが、柄３０と把持部３２の厚み及び幅の寸法は、同寸法とすることもできる。
【００２３】
また、本実施例においては、ブラシ収容部１０の一端の開口部を閉塞する手段として高周波溶着を用いたが、本考案においては当該手段に限るものではなく、例えば縫着等の手段を用いることもできる。
【００２４】
更に、固定部材２の材質は、本実施例において合成ゴム製のものを使用したが、本考案はこれに限られるものではなく、例えば、軟質合成樹脂等を使用することもできる。また、固定部材の形状は、Ｃ字のみならず、中央を折返して両端を閉じ合わせる形態ものや環状のもの等とすることもできる。
【００２５】
以上のように、本考案に係る歯面研磨具は、一般的な歯磨きをするものではなく、歯面に沈着した色素及び歯垢の除去、歯面の研磨を特に行なうものであり、歯磨きをした後に、該歯ブラシに歯面研磨袋１を被せ、固定部材２で前記歯面研磨袋１を固定することによって、根本的に歯を白くすることを可能とする非常に優れたものである。
【図面の簡単な説明】
【００２６】
【図１】本考案の実施例に係る歯面研磨袋を示す左側面図、正面図及び右側面図である。
【図２】本考案の実施例に係る歯面研磨具の固定部材を示す正面図及び右側面図である。
【図３】本考案の実施例に係る歯面研磨具を歯ブラシに装着した状態を示す斜視説明図である。
【図４】本考案の実施例に係る歯面研磨具のＡ−Ａ拡大断面図である。
【図５】歯、歯面研磨袋、植毛部との関係を示す拡大説明断面図である。
【符号の説明】
【００２７】
１      歯面研磨袋
１０    ブラシ収納部
１００  内面
１１    締縛部
１２    閉塞端部
１３    開口部
２      固定部材
２０    固定部
３      歯ブラシ
３０    柄
３１    植毛部
３２    把持部
３３    毛先
４      歯
【図１】
0003102879.tif 000003
【図２】
0003102879.tif 000004
【図３】
0003102879.tif 000005
【図４】
0003102879.tif 000006
【図５】
0003102879.tif 000007